【事件の表示】
　特願２００１−４３５８１「乗物用電子パートナーシステム」拒絶査定不服審判事件〔平成１４年８月２８日出願公開、特開２００２−２３９９５９〕について、次のとおり審決する。
【結　論】
　本件審判の請求は、成り立たない。
【理　由】
第１．手続の経緯
　本願は、平成１３年２月２０日の出願であって、平成１６年１１月２２日に明細書について手続補正がされ、平成１７年２月８日付けで拒絶をすべき旨の査定がされ、平成１７年３月１７日に本件審判の請求がされ、平成１７年４月１４日に明細書について再度手続補正（以下、「本件補正」という。）がされたものである。
　
第２．本件補正についての補正却下の決定
［補正却下の決定の結論］
　本件補正を却下する。
［理由］
１．補正の内容の概要
　本件補正は、特許請求の範囲及び発明の詳細な説明の一部について補正するものであって、特許請求の範囲の請求項１について補正前後の記載を補正箇所に下線を付して示すと以下のとおりである。
（１）補正前の請求項１
「
乗物外において、自己のおかれた状況に応じて自己反応を決定し、決定された自己反応に対応する表現動作を行う機能を有し、
　
　乗物に設置され、前記電子パートナーと通信する電子パートナー支援装置と、
　で構成される乗物用電子パートナーシステムであって、
　前記電子パートナー支援装置は、
　乗物の動作状態を検知する動作状態検知手段と、
　前記動作状態検知手段により検知された動作状態を前記電子パートナーに送信する送信手段と、
　を含み、
　前記電子パートナーは、
　
　
　
　
　を含むことを特徴とする乗物用電子パートナーシステム。」
（２）補正後の請求項１
「
　
ロボットからなる
　乗物に設置され、前記電子パートナーと通信する電子パートナー支援装置と、
　で構成される乗物用電子パートナーシステムであって、
　前記電子パートナー支援装置は、
　乗物の動作状態を検知する動作状態検知手段と、
　前記動作状態検知手段により検知された動作状態を前記電子パートナーに送信する送信手段と、
　を含み、
　前記電子パートナーは、
　
自己のおかれた状況を検知するセンサと、
電子パートナーの各部に電力を供給する電源部と、
　
乗物外において、前記センサで検知された自己のおかれた状況に応じて自己反応を決定し、決定された自己反応に対応する表現動作を行い、乗物に同乗した場合には、
乗物の
乗物の動作状態と連動した
　を含むことを特徴とする乗物用電子パートナーシステム。」
　
２．補正の適否
　請求項１に係る上記補正は、「電子パートナー」を、「ロボット」からなり、「自己のおかれた状況を検知するセンサと、電子パートナーの各部に電力を供給する電源部と」を含むものに限定するとともに、乗物に同乗した場合に決定される自己反応を、「受信した動作状態に基づ」くものから、「受信手段で受信した乗物の動作状態に基づき、乗物の動作状態と連動した」ものに限定するものであるから、特許請求の範囲の減縮を目的とすることが明らかである。
　そこで、補正後の請求項１に係る発明（以下、「補正発明」という。）が、特許出願の際に独立して特許を受けることができるものであるか否かについて、以下検討する。
　
（１）補正発明
　補正発明は、上記「１．（２）」に示すとおりである。
　
（２）刊行物記載の発明（事項）
　原査定の拒絶の理由に引用され本願の出願前国内で頒布された刊行物である、国際公開９９／６７０６７号パンフレット（以下、「刊行物１」という。）、特開２０００−２７８２７４号公報（以下、「刊行物２」という。）及び特開２０００−９９４９０号公報（以下、「刊行物３」という。）には、以下の事項が記載されている。
　
（ｉ）刊行物１
（イ）第１頁４行〜５行
「本発明はロボット装置及び情報処理システムに関し、例えばペット型のエンターテイメントロボットに適用して好適なものである。」
（ロ）第５頁最下行〜 第８頁４行
「・・・頭部６には、マイクロホン１０と、・・・ＣＣＤ（Ｃｈａｒｇｅ　Ｃｏｕｐｌｅｄ　Ｄｅｖｉｃｅ）カメラでなる画像認識部１２と、・・・外部から与えられた圧力や外部との接触を検出するためのタッチセンサ１４と、・・・無線受信機等でなるセンサ出力受信部１７とが設けられている。
　また胴体部２には、・・・コントローラ２０と、合成音声生成機能及び音声認識機能を有する音声処理部２１と、画像生成機能を有する画像処理部２２と・・・が設けられている。また胴体部２の腹部側には、このロボット１の動力源となるバッテリ２６（図１）が取り付けられている。
　・・・
　・・・音声処理部２１は、マイクロホン１０から供給される集音信号Ｓ１や後述のように通信ユニット２５から供給される音声情報に基づいて、マイクロホン１０を介して集音した言葉等や、外部から電話回線等を通じて送られてきた言葉等の意味を認識し、認識結果を音声認識信号Ｓ２Ａとしてコントローラ２０及び通信ユニット２５に送出する。また音声処理部２１は、コントローラ２０の制御のもとに合成音声を生成し、これを音声信号Ｓ２Ｂとしてスピーカ１１や通信ユニット２５に送出する。
　・・・画像処理部２２は、・・・画像認識部１２により撮像された外部の状況や、外部から電話回線等を通じて送られてきた画像の内容を認識し、認識結果を画像認識信号Ｓ４Ａとしてコントローラ２０に送出する。・・・
　タッチセンサ１４は、ユーザからの「なでる」や「たたく」といった物理的な働きかけや、頭部６を外部物質に接触させたときに受ける圧力を検出し、検出結果を圧力検出信号Ｓ５としてコントローラ２０に送出する。
　・・・
　センサ出力受信部１７は、部屋の電気の状態（オン／オフ）や、台所の水道が使われているか否か、風呂のガスが使われているか否かなど、ユーザの生活状態を検出するために家中に配設された各種センサから無線で送られてくるセンサ出力を受信し、受信結果をセンサ出力受信信号Ｓ１２としてコントローラ２０に送出する。」
（ハ）第８頁２１行〜第９頁７行
「コントローラ２０は、音声処理部２１、画像処理部２２、タッチセンサ１４、・・・センサ出力受信部１７・・・からそれぞれ与えられる音声認識信号Ｓ２Ａ、画像認識信号Ｓ４Ａ、圧力検出信号Ｓ５、・・・センサ出力受信信号Ｓ１２・・・とに基づいて、周囲の状況や、ユーザからの働きかけの有無、・・・ユーザの生活状態・・・などを判断する。
　そしてコントローラ２０は、この判断結果と、予め図示しない内部メモリに格納されている制御プログラムとに基づいて続く自己の行動を決定し、決定結果に基づいて必要な関節機構を駆動させることにより、頭部６を上下左右に揺動させたり、尻尾７を前後に振らせたり、各脚部５Ａ〜５Ｄを駆動して歩行させるなどの行動や動作を行わせる。」
（ニ）第１６頁最下行〜第１７頁１５行
「一方このロボット１には、留守番電話機能も搭載されている。
　実際上ロボット１のコントローラ２０は、外部から電話がかかってきたことを通信ユニット２５を介して認識すると、上述のように音声処理部２１を制御してこれを知らせる音声をスピーカ１１から出力させる。
　そしてコントローラ２０は、この後所定の時間内に電話がとられなかった場合には、音声処理部２１を制御して留守番電話用の所定のメッセージ（合成音声）を生成させてこれを音声信号Ｓ２Ｂとして通信ユニット２５に送出させる。
　この際コントローラ２０は、センサ出力受信部１７（図２）からのセンサ出力受信信号Ｓ１２に基づき得られる図１２にような家中に配設された各種センサの出力と、図示しない時計から与えられる現在時刻情報等とに基づいて、例えば図１３のようにそのときのユーザの状況を判断する。
　そしてコントローラ２０は、この判断結果に基づいて、上述の留守番電話用のメッセージとして最適なメッセージを音声処理部２１に生成させ、これを通信ユニット２５を介して電話相手に送信させる。」
（ホ）図１３には、
「家中に配設された各種センサの出力が、部屋の電気、テレビ、台所の電気、台所の水道、風呂のガス及び風呂場の電気の『ＯＮ』、『ＯＦＦ』、並びに、風呂の水位変動の『なし』、『あり』、『ＯＦＦ』であり、コントローラの判断するユーザの状況が、『テレビを見ている』、『入浴中』、『台所にいる』、『睡眠中』であること」が示されている。
　これらの記載事項からみて、刊行物１には次の発明（以下、「刊行物１記載の発明」という。）が記載されていると認められる。
「ペット型のエンターテイメントロボット１と、
　家中に配設され、前記ロボット１と無線通信する装置と、
　で構成されるロボットシステムであって、
　前記装置は、
　部屋の電気、テレビ、台所の電気、台所の水道、風呂のガス及び風呂場の電気の『ＯＮ』、『ＯＦＦ』、並びに、風呂の水位変動の『なし』、『あり』、『ＯＦＦ』を検知する各種センサと、
　前記各種センサにより検知された動作状態を前記ロボット１に送信する無線通信の送信手段と、
　を含み、
　前記ロボット１は、
　周囲の状況やユーザからの働きかけの有無を検知するマイクロホン１０、ＣＣＤカメラでなる画像認識部１２と、タッチセンサ１４と、
　ロボット１の動力源となるバッテリ２６と、
　前記装置の送信手段から無線送信されたセンサ出力を受信するセンサ出力受信部１７と、
　マイクロホン１０、ＣＣＤカメラでなる画像認識部１２と、タッチセンサ１４で検知された音声認識信号Ｓ２Ａ、画像認識信号Ｓ４Ａ、圧力検出信号Ｓ５に基づいて、周囲の状況や、ユーザからの働きかけの有無などを判断し、自己の行動を決定し、頭部６を上下左右に揺動させたり、尻尾７を前後に振らせたり、各脚部５Ａ〜５Ｄを駆動して歩行させるなどの行動や動作を行わせ、外部から電話がかかってきたが、所定の時間内に電話がとられなかった場合に、音センサ出力受信部１７で受信した部屋の電気、テレビ、台所の電気、台所の水道、風呂のガス及び風呂場の電気の『ＯＮ』、『ＯＦＦ』、並びに、風呂の水位変動の『なし』、『あり』、『ＯＦＦ』に基づき、ユーザの状況が、『テレビを見ている』、『入浴中』、『台所にいる』、『睡眠中』のいずれであるかを判断し、この判断結果に基づく最適なメッセージを通信ユニット２５を介して電話相手に送信させるコントローラ２０と、
　を含むロボットシステム。」
　
（ｉｉ）刊行物２
（イ）段落【０００１】
「【発明の属する技術分野】
　この発明は、自動車内の各車載ユニット内で活用される各種車両情報を効率良く利用できる車両情報収集利用システムに関する。」
（ロ）段落【００１６】〜【００１８】
「・・・この車両情報収集利用システムは、図１の如く、複数の車載ユニット１ａ〜１ｃをシリアル通信路（通信路）２ａで、また他の複数の車載ユニット１ｄ，１ｅを他のシリアル通信路２ｂでそれぞれバス接続し、さらに他の複数の車載ユニット１ｆ，１ｇをシリアル通信路２ｃで車載ユニット１ｅにバス接続し、これらの車載ユニット１ａ〜１ｃ，１ｄ，１ｅ，１ｅ〜１ｇ間でそれぞれ相互に情報の送信及び受信を可能とするとともに、シリアル通信路２ａ，２ｂに、全車載ユニット１ａ〜１ｇ内のデータを収集するための情報収集装置３を接続し、また、この情報収集装置３に、情報表示機能を有するモニタ機能、データの加工（計算）・記録等を行うデータ処理機能、各車載ユニット１ａ〜１ｇを操作する操作端末機能及びデータの移動用携帯端末機能等の種々の機能を有する外部装置４ａ〜４ｄを外部接続線７を通じて着脱自在に接続できるようにしたものであり、情報収集装置３を通じてすべての車載ユニット１ａ〜１ｇ及び外部装置４ａ〜４ｄを相互に通信可能とすることで、車両情報の利用についてマルチ用途の通信システムを構成するものである。
　ここで、車載ユニット１ａ〜１ｇとしては、空気調和機（エアコンディションユニット）並びに暖房装置（ヒータコントロールユニット）、カーオーディオ装置並びにカーナビゲーション装置、及び各種計量装置（メータ機器）等であり、それぞれの車載ユニット１ａ〜１ｇ内に、自己の状態情報、動作（操作）情報及びスイッチ情報等を保有しているものである。
　即ち、例えば空気調和機（エアコンディションユニット）や暖房装置（ヒータコントロールユニット）においては、空気調和機能のオンオフ設定（Ａ／Ｃ）、リアデフォッガやフロントデフォッガ等のオンオフ設定、室内温度、外気温度、風量及び風向き等のデータが保有され、オーディオ装置やカーナビゲーション装置等においては、カセットテープの早送り、巻き戻し並びに再生等、テレビジョン受像機能やカーナビゲーション機能のオンオフ設定、ラジオ／コンパクトディスク（ＣＤ）／テープなどのモード切換設定、メニュー切換及び選曲等のデータが保有され、各種計量装置（メータ機器）においては、残り燃料量、走行距離、速度、エンジン回転数等のデータが保有される。」
（ハ）段落【００２０】
「情報収集装置３は、・・・いずれかの外部装置４ａ〜４ｄが接続された場合に、この外部装置４ａ〜４ｄから要求された全ての情報（データ）を車載ユニット１ａ〜１ｇから収集して当該外部装置４ａ〜４ｄに伝送する機能・・・を有する。」
（ニ）段落【００２３】
「外部装置４ａ〜４ｄとしては、・・・図４に示したような種々の情報を表示するマルチ表示器４ｂ・・・であってもよい・・・」
　これらの記載事項からみて、刊行物２には次の事項（以下、「刊行物２記載の事項」という。）が記載されていると認められる。
「自動車内の各車載ユニット内で活用される各種車両情報を効率良く利用できるようにするために、残り燃料量、走行距離、速度、エンジン回転数等を検知する車載ユニット１ａ〜１ｇの検知手段と、当該検知手段により検知された残り燃料量、走行距離、速度、エンジン回転数等を伝送する機能を有する情報収集装置３を車両に設置し、上記情報収集装置３から送信された残り燃料量、走行距離、速度、エンジン回転数等を受信し、表示する、車両に持ち込んだマルチ表示器４ｂとを含む車両情報収集利用システム。」
　
（ｉｉｉ）刊行物３
（イ）段落【０００１】
「・・・
　本発明は、性格や感情等の精神情報を装置に擬態させ、これらを用いて制御される装置に関する。」
（ロ）段落【０００７】
「図２〜図１１は、本発明に係る制御方法を使用者のツーリング計画の設計をアシストするツーリングアシストシステムに適用した実施例を示し、・・・。
　しかし、本発明は、これらの実施例に限定されるものではなく、知能を持つ適応性のあるユーザーフレンドリー装置として使用者が利用できる任意に装置に適合され得る。入力及び出力は、装置の目標と使用者の能力に依存して選択されるのが適当である。」
（ハ）段落【０００８】
「・・・
　このツーリングアシストシステム（以下、単にアシストシステムと称する）は、例えば、使用者が自動二輪車、自動車、電車、又は歩き等で旅行をする時に、その行動計画の設計をアシストすることを目的とし、アシストシステム自身が使用者とのやりとりや周辺環境によって変化する疑似感情と、使用者とのやりとりや経験等に基づいて成長する疑似性格を持ち、前記疑似性格や疑似感情の状態に応じて感情表現や自律的な回答又は命令に応じた回答をしながら使用者とのやりとりや環境情報等（トレインマップ、ロードマップ、交通情報）に基づいて使用者の行動計画案を設計していくシステムである。
　具体的には、このアシストシステムは、使用者の状態や環境状態を認識するために、それらの情報を入力する視覚的センサ、聴覚的センサ及び触覚的センサや外部データベースへアクセス可能な手段を備え、また、使用者に対して感情表現や回答を表示するための画像出力装置や音声等の出力装置を備えており、自動二輪車や自動車等に搭載可能に、又は使用者が携帯可能に構成され得る。」
　これらの記載事項からみて、刊行物３には次の事項（以下、「刊行物３記載の事項」という。）が記載されていると認められる。
「知能を持つ適応性のあるユーザーフレンドリー装置として使用者が利用できる装置を、自動二輪車や自動車等に搭載可能に、又は使用者が携帯可能に構成すること。」
　
（３）対比
　補正発明と刊行物１記載の発明とを対比すると、後者の「ペット型のエンターテイメントロボット１」と前者の「乗物に同乗可能なロボットからなる電子パートナー」とは、「ロボットからなる電子パートナー」の限りで、後者の「家中に配設され、前記ロボット１と無線通信する装置」と前者の「乗物に設置され、前記電子パートナーと通信する電子パートナー支援装置」とは、「前記電子パートナーと通信する電子パートナー支援装置」の限りで、後者の「ロボットシステム」と前者の「乗物用電子パートナーシステム」とは、「電子パートナーシステム」の限りで、それぞれ共通する。また、後者の「部屋の電気、テレビ、台所の電気、台所の水道、風呂のガス及び風呂場の電気の『ＯＮ』、『ＯＦＦ』、並びに、風呂の水位変動の『なし』、『あり』、『ＯＦＦ』を検知する各種センサ」と前者の「乗物の動作状態を検知する動作状態検知手段」とは、「動作状態を検知する動作状態検知手段」の限りで共通する。
　そして、後者の「各種センサにより検知された動作状態を前記ロボット１に送信する無線通信の送信手段」が前者の「動作状態検知手段により検知された動作状態を前記電子パートナーに送信する送信手段」に、後者の「周囲の状況やユーザからの働きかけの有無を検知するマイクロホン１０、ＣＣＤカメラでなる画像認識部１２と、タッチセンサ１４」が前者の「自己のおかれた状況を検知するセンサ」に、後者の「ロボット１の動力源となるバッテリ２６」が前者の「電子パートナーの各部に電力を供給する電源部」に、後者の「装置の送信手段から無線送信されたセンサ出力を受信するセンサ出力受信部１７」が前者の「電子パートナー支援装置の送信手段から送信された動作状態を受信する受信手段」に、後者の「マイクロホン１０、ＣＣＤカメラでなる画像認識部１２と、タッチセンサ１４で検知された音声認識信号Ｓ２Ａ、画像認識信号Ｓ４Ａ、圧力検出信号Ｓ５に基づいて、周囲の状況や、ユーザからの働きかけの有無などを判断し、自己の行動を決定し、頭部６を上下左右に揺動させたり、尻尾７を前後に振らせたり、各脚部５Ａ〜５Ｄを駆動して歩行させるなどの行動や動作を行わせ」が前者の「乗物外において、前記センサで検知された自己のおかれた状況に応じて自己反応を決定し、決定された自己反応に対応する表現動作を行い」に、それぞれ相当することは、それらの機能からみて明らかである。
　さらに、後者の「外部から電話がかかってきたが、所定の時間内に電話がとられなかった場合に、センサ出力受信部１７で受信した部屋の電気、テレビ、台所の電気、台所の水道、風呂のガス及び風呂場の電気の『ＯＮ』、『ＯＦＦ』、並びに、風呂の水位変動の『なし』、『あり』、『ＯＦＦ』に基づき、ユーザの状況が、『テレビを見ている』、『入浴中』、『台所にいる』、『睡眠中』のいずれであるかを判断し、この判断結果に基づく最適なメッセージを通信ユニット２５を介して電話相手に送信させるコントローラ２０」は、センサ出力受信部１７で受信した部屋の電気、テレビ、台所の電気、台所の水道、風呂のガス、風呂場の電気等の動作状態に基づき、当該動作状態と連動して、ユーザの状況が、『テレビを見ている』、『入浴中』、『台所にいる』、『睡眠中』のいずれかを判断決定し、この判断決定結果に対応する最適なメッセージを送信させるとの動作を行うように制御するから、後者の上記「コントローラ２０」と前者の「乗物に同乗した場合には、前記受信手段で受信した乗物の動作状態に基づき、乗物の動作状態と連動した自己反応を決定し、決定された自己反応に対応した表現動作を行うように制御する反応制御手段」とは、「受信手段で受信した動作状態に基づき、動作状態と連動した自己反応を決定し、決定された自己反応に対応した表現動作を行うように制御する反応制御手段」の限りで共通する。
　そうすると、両者は、
「ロボットからなる電子パートナーと、
　前記電子パートナーと通信する電子パートナー支援装置と、
　で構成される電子パートナーシステムであって、
　前記電子パートナー支援装置は、
　動作状態を検知する動作状態検知手段と、
　前記動作状態検知手段により検知された動作状態を前記電子パートナーに送信する送信手段と、
　を含み、
　前記電子パートナーは、
　自己のおかれた状況を検知するセンサと、
　電子パートナーの各部に電力を供給する電源部と、
　前記電子パートナー支援装置の送信手段から送信された動作状態を受信する受信手段と、
　乗物外において、前記センサで検知された自己のおかれた状況に応じて自己反応を決定し、決定された自己反応に対応する表現動作を行い、前記受信手段で受信した動作状態に基づき、動作状態と連動した自己反応を決定し、決定された自己反応に対応した表現動作を行うように制御する反応制御手段と、
　を含む電子パートナーシステム」である点で一致し、以下の点で相違する。
〈相違点〉前者は、電子パートナーが乗物に同乗可能なもので、電子パートナー支援装置が乗物に設置され、動作状態検知手段が乗物の動作状態を検知し、反応制御手段が乗物に同乗した場合に、受信手段で受信した乗物の動作状態に基づき、乗物の動作状態と連動した自己反応を決定し、決定された自己反応に対応した表現動作を行うように制御する、乗物用電子パートナーシステムであるのに対して、後者は、電子パートナーが乗物に同乗可能なものとは特定されておらず、電子パートナー支援装置が、家中に設置されるものであって、乗物に設置されるものではなく、動作状態検知手段が、部屋の電気、テレビ、台所の電気、台所の水道、風呂のガス、風呂場の電気等の動作状態を検知するものであって、乗物の動作状態を検知するものではなく、反応制御手段が、外部から電話がかかってきたが所定の時間内に電話がとられなかった場合に、音センサ出力受信部１７で受信した部屋の電気、テレビ、台所の電気、台所の水道、風呂のガス、風呂場の電気等の動作状態に基づき、当該動作状態に連動した自己反応を決定し、決定された自己反応に対応した表現動作を行うように制御するものであって、乗物に同乗した場合に、受信手段で受信した乗物の動作状態に基づき、乗物の動作状態と連動した自己反応を決定し、決定された自己反応に対応した表現動作を行うように制御するものではなく、また、電子パートナーシステムが乗物用ではない点。
　
（４）相違点についての判断
　上記相違点は、つまるところ、電子パートナーが検知する対象が、補正発明では乗物の動作状態であるのに対して、刊行物１記載の発明では家中の機器の動作状態であるという、検知すべき動作状態の種類の相違につきる。
　ところで、刊行物２には、乗物の動作状態を、乗物に持ち込んだ機器により検知することが示されており（刊行物２記載の事項を参照）、しかも、刊行物３に、刊行物１記載の発明（及び補正発明）の電子パートナーに相当する「知能を持つ適応性のあるユーザーフレンドリー装置として使用者が利用できる装置」を、自動二輪車や自動車等の乗物に持ち込むことも示されている（刊行物３記載の事項を参照）。
　そうすると、刊行物１記載の発明の電子パートナーを乗物に持ち込み、当該電子パートナーの検知する動作状態を乗物の動作状態とし、上記相違点に係る構成を補正発明のようにすることは、当業者が容易になし得ることである。
　そして、補正発明の作用効果は、刊行物１記載の発明及び刊行物２、３記載の事項から当業者が予測可能な範囲内のものであって、格別のものではない。
　したがって、補正発明は、刊行物１記載の発明及び刊行物２、３記載の事項に基づいて当業者が容易に発明をすることができたものであるから、特許法第２９条第２項の規定により特許出願の際独立して特許を受けることができないものである。
　
（５）むすび
　以上のとおり、本件補正は、特許法第１７条の２第５項で準用する同法第１２６条第５項の規定に違反するものであるから、特許法第１５９条第１項の規定において読み替えて準用する特許法第５３条第１項の規定により却下すべきものである。
　
第３．本願発明について
１．本願発明
　平成１７年４月１４日付けの手続補正は上記のとおり却下されたので、本願の請求項１〜１０に係る発明は、平成１６年１１月２２日付けの手続補正書により補正された明細書の特許請求の範囲の請求項１〜１０に記載された事項により特定されるとおりのものと認められるところ、請求項１に係る発明（以下、「本願発明」という。）は、上記「第２の１．（１）」に示したとおりのものである。
　
２．刊行物記載の発明（事項）
　刊行物記載の発明（事項）は、上記「第２の２．（２）」に記載したとおりである。
　
３．対比・判断
　平成１７年４月１４日付けの手続補正は、請求項１に記載した発明を特定するために必要な事項である「電子パートナー」を、「ロボット」からなり、「自己のおかれた状況を検知するセンサと、電子パートナーの各部に電力を供給する電源部と」を含むものに限定するとともに、乗物に同乗した場合に決定される自己反応を、「受信した動作状態に基づ」くものから、「受信手段で受信した乗物の動作状態に基づき、乗物の動作状態と連動した」ものに限定するものであるから、本願発明は、前記「第２の２」で検討した補正発明から「電子パートナー」の限定事項である、「ロボット」からなり、「自己のおかれた状況を検知するセンサと、電子パートナーの各部に電力を供給する電源部と」を含むとの事項、また、乗物に同乗した場合に決定される「自己反応」の限定事項である、「乗物の動作状態に基づき、乗物の」との事項を省いたものである。
　そうすると、本願発明の発明特定事項を全て含み、さらに他の発明特定事項を付加したものに相当する補正発明が、前記「第２の２．（４）」に記載したとおり、刊行物１記載の発明及び刊行物２、３記載の事項に基づいて当業者が容易に発明をすることができたものであるから、本願発明も、同様の理由により、刊行物１記載の発明及び刊行物２、３記載の事項に基づいて当業者が容易に発明をすることができたものである。
　
４．むすび
　以上のとおり、本願発明は特許法第２９条第２項の規定により特許を受けることができないから、請求項２〜１０に係る発明について検討するまでもなく、本願は拒絶すべきものである。
　よって、結論のとおり審決する。